(57)【要約】      （修正有）【課題】直列の連結作業を容易に行える簡易型構築物のシート固定用レールを提供する。【解決手段】複数の棒状部材を含む部材で構築されて表面の少なくとも一部にシートが被せられる簡易型構築物の棒状部材に取り付けられるシート固定用レール１０は、シートの一部と、この一部を固定する線状スプリングとが挿入される固定溝１１を有し、この固定溝は、底壁部１２と、湾曲状に形成された一対の湾曲部１３と、一対の側壁部１４とを含んで形成され、長さ方向の端部には、接続底壁部６２と、一対の接続湾曲部６３と、一対の接続側壁部６４とを含んで形成されていて、これらのうち、少なくとも接続湾曲部と接続側壁部とが湾曲部と側壁部とに対し固定溝の内側へ縮小した形状となっている縮形連結端部６０が設けられ、接続側壁部における接続湾曲部とは反対側の端縁部６４Ａが、縮形連結端部の先端６０Ａ側へ延びるにしたがい接続底壁部に近づく方向に傾斜している。【選択図】図１３
2020130142.tif 000002
【特許請求の範囲】
【請求項１】
複数の棒状部材を含む部材により構築されて表面の少なくとも一部にシートが被せられる簡易型構築物の前記棒状部材に取り付けられるレールであって、
前記シートの一部と、この一部を固定するための波形状又は略波形状の線状スプリングとが挿入される固定溝を有し、この固定溝が、底壁部と、この底壁部の幅方向両側に外側への湾曲状に形成されている一対の湾曲部と、これらの湾曲部から立ち上がっている一対の側壁部とを含んで形成され、
長さ方向の端部に、前記底壁部と接続された接続底壁部と、前記一対の湾曲部と接続された一対の接続湾曲部と、前記一対の側壁部と接続された一対の接続側壁部とを含んで形成された連結端部が設けられ、この連結端部が、前記接続底壁部と前記一対の接続湾曲部と前記一対の接続側壁部のうち、少なくとも前記一対の接続湾曲部と前記一対の接続側壁部とが、前記一対の湾曲部と前記一対の側壁部とに対し前記固定溝の内側へ縮小した形状となって形成された縮形連結端部となっている簡易型構築物のシート固定用レールにおいて、
前記一対の接続側壁部における前記一対の接続湾曲部とは反対側の端縁部が、前記縮形連結端部の先端側へ延びるにしたがい前記接続底壁部に近づく方向に傾斜していることを特徴とする簡易型構築物のシート固定用レール。
【請求項２】
請求項１に記載の簡易型構築物のシート固定用レールにおいて、前記接続底壁部には、この接続底壁部の厚さ方向の突出量を有するリブ部が、前記縮形連結端部の長さ方向の長さをもって形成されていることを特徴する簡易型構築物のシート固定用レール。
【請求項３】
請求項２に記載の簡易型構築物のシート固定用レールにおいて、前記リブ部は、前記固定溝の内側の方向へ突出していることを特徴する簡易型構築物のシート固定用レール。
【請求項４】
請求項２又は３に記載の簡易型構築物のシート固定用レールにおいて、前記リブ部は、前記接続底壁部と前記底壁部との境界を越える長さを有していることを特徴する簡易型構築物のシート固定用レール。
【請求項５】
請求項２〜４のいずれかに記載の簡易型構築物のシート固定用レールにおいて、前記リブ部における前記縮形連結端部の先端側の端部の位置は、前記接続底壁部の先端から前記底壁部側へ後退した位置となっていることを特徴とする簡易型構築物のシート固定用レール。
【請求項６】
請求項５に記載の簡易型構築物のシート固定用レールにおいて、前記リブ部における前記縮形連結端部の先端側の前記端部と、前記接続底壁部の先端との間には、前記縮形連結端部の長さ方向に延びる窪み部が形成されていることを特徴とする簡易型構築物のシート固定用レール。
【請求項７】
請求項１〜６のいずれかに記載の簡易型構築物のシート固定用レールにおいて、前記接続底壁部は、前記底壁部に対し前記固定溝の内外方向の段差なしで接続されていることを特徴とする簡易型構築物のシート固定用レール。
【請求項８】
請求項１〜７のいずれかに記載の簡易型構築物のシート固定用レールにおいて、前記一対の側壁部が、前記湾曲部から前記固定溝の内側へ傾きながら延びていて、前記固定溝に対する傾斜角度が第１角度となっている第１直線部と、この第１直線部から前記固定溝の内側へ傾きながら延びていて、前記固定溝に対する傾斜角度が前記第１角度よりも大きい第２角度となっている第２直線部と、この第２直線部から前記固定溝の内外への傾斜角度をもたず又は殆どもたずに延びている第３直線部と、この第３直線部の先端部に前記固定溝の内側へ突出して形成されている係止部と、を含んで形成され、前記固定溝の内部に最多で３個の前記線状スプリングが前記一対の側壁部の立ち上がり方向に積み上げられた状態で挿入可能となっており、
前記一対の接続側壁部の最大高さは、前記第１直線部の高さ内となっていることを特徴とする簡易型構築物のシート固定用レール。
【請求項９】
請求項１〜８のいずれかに記載の簡易型構築物のシート固定用レールにおいて、前記一対の接続側壁部における前記縮形連結端部の長さ方向の先端は、外側へ湾曲して突出した形状に面取りされていることを特徴とする簡易型構築物のシート固定用レール。
【発明の詳細な説明】
【技術分野】
【０００１】
本発明は、簡易型構築物の表面の少なくとも一部に被せられるシートを固定するために用いられるシート固定用レールに係り、例えば、農業用ハウスや、簡易型倉庫、簡易型車庫等の簡易型構築物に利用することができるものである。
【背景技術】
【０００２】
下記の特許文献１には、複数の棒状部材を含む部材により構築される農業用ハウス等の簡易型構築物の表面の少なくとも一部にシートを固定して被せるために用いられるシート固定用レールが示されている。このシート固定用レールは、表面の少なくとも一部にシートが被せられる簡易型構築物の構成部材となっている棒状部材に取り付けられるレールであって、シートの一部と、この一部を固定するための波形状又は略波形状の線状スプリングとが挿入される固定溝を有し、この固定溝が、底壁部と、この底壁部の幅方向両側に外側への湾曲状に形成されている一対の湾曲部と、これらの湾曲部から立ち上がっている一対の側壁部とを含んで形成されている。また、このシート固定用レールの長さ方向の端部には、底壁部と接続された接続底壁部と、一対の湾曲部と接続された一対の接続湾曲部と、一対の側壁部と接続された一対の接続側壁部とを含んで形成された連結端部が設けられ、この連結端部が、接続底壁部と一対の接続湾曲部と一対の接続側壁部のうち、少なくとも一対の接続湾曲部と一対の接続側壁部とが、一対の湾曲部と一対の側壁部とに対し固定溝の内側へ縮小した形状となって形成された縮形連結端部となっている。
【先行技術文献】
【特許文献】
【０００３】
【特許文献１】特開２００７−２７４９０９号公報
【発明の概要】
【発明が解決しようとする課題】
【０００４】
複数の棒状部材を含む部材により構築される農業用ハウス等の簡易型構築物が、前後方向等の寸法が大きいものとなっている場合には、複数本のシート固定用レールを直列に連結することが行われ、この直列の連結のために、上述のシート固定用レールについては、１本のシート固定用レールに設けられた上述の縮形連結端部が別のシート固定用レールの端部の内側に挿入されるため、この直列の連結作業を容易に行えるようになる工夫が求められる。
【０００５】
本発明の目的は、直列の連結作業を容易に行えるようになる簡易型構築物のシート固定用レールを提供するところにある。
【課題を解決するための手段】
【０００６】
本発明に係る簡易型構築物のシート固定用レールは、複数の棒状部材を含む部材により構築されて表面の少なくとも一部にシートが被せられる簡易型構築物の前記棒状部材に取り付けられるレールであって、前記シートの一部と、この一部を固定するための波形状又は略波形状の線状スプリングとが挿入される固定溝を有し、この固定溝が、底壁部と、この底壁部の幅方向両側に外側への湾曲状に形成されている一対の湾曲部と、これらの湾曲部から立ち上がっている一対の側壁部とを含んで形成され、長さ方向の端部に、前記底壁部と接続された接続底壁部と、前記一対の湾曲部と接続された一対の接続湾曲部と、前記一対の側壁部と接続された一対の接続側壁部とを含んで形成された連結端部が設けられ、この連結端部が、前記接続底壁部と前記一対の接続湾曲部と前記一対の接続側壁部のうち、少なくとも前記一対の接続湾曲部と前記一対の接続側壁部とが、前記一対の湾曲部と前記一対の側壁部とに対し前記固定溝の内側へ縮小した形状となって形成された縮形連結端部となっている簡易型構築物のシート固定用レールにおいて、前記一対の接続側壁部における前記一対の接続湾曲部とは反対側の端縁部が、前記縮形連結端部の先端側へ延びるにしたがい前記接続底壁部に近づく方向に傾斜していることを特徴とするものである。
【０００７】
このように本発明に係る簡易型構築物のシート固定用レールでは、一対の接続側壁部における前記一対の接続湾曲部とは反対側の端縁部が、縮形連結端部の先端側へ延びるにしたがい接続底壁部に近づく方向に傾斜しているため、２本のシート固定用レールを直列に連結する際において、これらのシート固定用レールのうち、一方のシート固定用レールに設けられた縮形連結端部を他方のシート固定用レールの端部の内側に挿入してこれらのレールを連結するための作業を、この傾斜している端縁部によって容易に行えるようになる。
【０００８】
以上の本発明において、接続底壁部には、この接続底壁部の厚さ方向の突出量を有するリブ部を、縮形連結端部の長さ方向の長さをもって形成してもよい。
【０００９】
これによると、上述したように一対の接続側壁部における前記一対の接続湾曲部とは反対側の端縁部が、縮形連結端部の先端側へ延びるにしたがい接続底壁部に近づく方向に傾斜していても、この縮形連結端部についての接続底壁部の厚さ方向の強度をリブ部により向上させることができる。
【００１０】
また、このように接続底壁部に、この接続底壁部の厚さ方向の突出量を有するリブ部を、縮形連結端部の長さ方向の長さをもって形成する場合には、このリブ部は、前記固定溝の外側の方向へ突出したものとしてもよいが、固定溝の内側の方向へ突出したものとすることが好ましい。
【００１１】
リブ部を固定溝の内側の方向へ突出したものとすると、前記一方のシート固定用レールに設けられた縮形連結端部を前記他方のシート固定用レールの端部の内側に挿入してこれらのレールを連結する際に、リブ部の影響を受けることをなくしてこの連結作業を円滑に行えるようになる。
【００１２】
また、リブ部の長さは、縮形連結端部の長さ範囲内のもの、これを言い換えると、接続底壁部の長さ範囲内のものとしてもよいが、リブ部を、接続底壁部と前記底壁部との境界を越える長さを有するものとしてもよい。
【００１３】
このようにリブ部を、接続底壁部と前記底壁部との境界を越える長さを有するものとすると、リブ部による前述した縮形連結端部についての接続底壁部の厚さ方向の強度を一層有効に向上させることができる。
【００１４】
また、リブ部における縮形連結端部の先端側の端部の位置は、接続底壁部の先端の位置と一致させてもよく、あるいは、リブ部における縮形連結端部の先端側の端部の位置を、接続底壁部の先端から前記底壁部側へ後退した位置としてもよい。
【００１５】
後者のようにリブ部における縮形連結端部の先端側の端部の位置を、接続底壁部の先端から前記底壁部側へ後退した位置とすると、接続底壁部の先端には、接続底壁部の厚さ方向の突出量を有するリブ部が設けられないため、前記一方のシート固定用レールに設けられた縮形連結端部を前記他方のシート固定用レールの端部の内側に挿入してこれらのレールを連結する作業を一層容易に行えるようになる。
【００１６】
また、リブ部における縮形連結端部の先端側の端部の位置を、接続底壁部の先端から前記底壁部側へ後退した位置とする場合には、リブ部における縮形連結端部の先端側の前記端部と、接続底壁部の先端との間には、縮形連結端部の長さ方向に延びる窪み部を形成してもよい。
【００１７】
これによると、縮形連結端部を、この縮形連結端部により連結される前記他方のシート固定用レールと共に、簡易型構築物の前記棒状部材にテックスビス等の止着具で取り付ける際に、接続底壁部に設けられた窪み部により止着具を位置決めすることができる。
【００１８】
また、以上の本発明に係る簡易型構築物のシート固定用レールにおいて、接続底壁部を、前記底壁部に対し前記固定溝の内側へ縮小した形状としてもよく、あるいは、接続底壁部を、前記底壁部に対し前記固定溝の内外方向の段差なしで接続されたものとしてもよい。
【００１９】
後者のように接続底壁部を、前記底壁部に対し前記固定溝の内外方向の段差なしで接続されたものとすると、縮形連結端部を、スエージ加工等の縮形加工によって縮形して形成するための金型の形状をそれだけ単純化することができ、また、縮形加工によって形成する縮形連結端部を一層正確な形状にして仕上げることができる。
【００２０】
また、本発明において、前述したように、一対の接続側壁部における前記一対の湾曲部とは反対側の端縁部を、縮形連結端部の先端側へ延びるにしたがい接続底壁部に近づく方向に傾斜したものとすることは、一対の接続側壁部の最大高さを前記一対の側壁部の高さと同じ又は略同じにして行ってもよく、あるいは、一対の接続側壁部の最大高さを前記一対の側壁部の高さよりも低い高さにして行ってもよい。
【００２１】
一対の接続側壁部の最大高さを後者とする場合についての一例は、前記一対の側壁部が、前記湾曲部から固定溝の内側へ傾きながら延びていて、この固定溝に対する傾斜角度が第１角度となっている第１直線部と、この第１直線部から固定溝の内側へ傾きながら延びていて、この固定溝に対する傾斜角度が第１角度よりも大きい第２角度となっている第２直線部と、この第２直線部から固定溝の内外への傾斜角度をもたず又は殆どもたずに延びている第３直線部と、この第３直線部の先端部に固定溝の内側へ突出して形成されている係止部と、を含んで形成されていて、固定溝の内部に最多で３個の前記線状スプリングが前記一対の側壁部の立ち上がり方向に積み上げられた状態で挿入可能となっている場合において、前記一対の接続側壁部の最大高さを、前記第１直線部の高さ内とすることであり、これを言い換えると、一対の接続側壁部の最大の高さを、第１直線部と前記第２直線部との境界と同じ高さ又はこの境界よりも低く高さとすることである。
【００２２】
これによると、一対の接続側壁部の最大の高さは、一対の側壁部の高さよりも充分に小さいため、前記一方のシート固定用レールに設けられた縮形連結端部を前記他方のシート固定用レールの端部の内側に挿入してこれらのレールを連結する作業を、この他方のシート固定用レールの固定溝の内部に、例えば、前述の線状スプリング等が配置されていても、この線状スプリング等による影響を少なくして作業を実施できるようになる。
【００２３】
また、一対の接続側壁部における縮形連結端部の長さ方向の先端を、外側へ湾曲して突出した形状に面取りされたものとすることが好ましい。
【００２４】
これによっても、前記一方のシート固定用レールに設けられた縮形連結端部を前記他方のシート固定用レールの端部の内側に挿入してこれらのレールを連結する作業を行う際に、この他方のシート固定用レールの固定溝の内部に、例えば、前述の線状スプリング等が配置されていても、この線状スプリング等による影響を少なくして作業を実施できるようになる。
【００２５】
以上説明した本発明に係る簡易型構築物のシート固定用レールは、複数の棒状部材を含む部材により構築されて表面の少なくとも一部にシートが被せられる簡易型構築物に適用でき、この簡易型構築物は、例えば、野菜や果実等を栽培するための農業用ハウスでもよく、簡易型倉庫でもよく、簡易型車庫でもよい。
【発明の効果】
【００２６】
本発明によると、シート固定用レールを直列に連結する作業を容易に行えるようになるという効果を得られる。
【図面の簡単な説明】
【００２７】
【図１】図１は、本発明の一実施形態に係るシート固定用レールが用いられた簡易型構築物となっている農業用ハウスを示す斜視図であって、シートが被せられる以前の状態示す図である。
【図２】図２は、農業用ハウスの出入口が設けられている部分を示す図１の一部拡大図である。
【図３】図３は、農業用ハウスの地際部分を示す図１の一部拡大図である。
【図４】図４は、農業用ハウスの肩部分を示す図１の一部拡大図である。
【図５】図５は、シート固定用レールを示す側面図である。
【図６】図６は、線状スプリングを示す斜視図である。
【図７】図７は、シート固定用レールを棒状部材の平坦面に止着具で取り付ける以前の状態を示す側面図である。
【図８】図８は、シート固定用レールを棒状部材の平坦面に止着具で取り付けた後の状態を示す側面図である。
【図９】図９は、シート固定用レールを棒状部材に取り付けるために用いる包持部材と楔部材を示す斜視図である。
【図１０】図１０は、図２で示す部分に配置され、固定溝に挿入される線状スプリングの個数が１個となっているシート固定用レールについて示す側面図である。
【図１１】図１１は、図３で示す部分に配置され、固定溝に挿入される線状スプリングの個数が２個となっているシート固定用レールについて示す側面図である。
【図１２】図１２は、図４に示す部分に配置され、固定溝に挿入される線状スプリングの個数が３個となっているシート固定用レールについて示す側面図である。
【図１３】図１３は、縮形連結端部が設けられているシート固定用レールの一方の端部を拡大して示す斜視図である。
【図１４】図１４は、シート固定用レールの一方の端部に設けられている縮形連結端部を示し、（Ａ）は、平面図、（Ｂ）は、正面図、（Ｃ）は底面図である。
【図１５】図１５は、縮形連結端部が設けられているシート固定用レールの端部の側面図である。
【図１６】図１６は、図１４（Ａ）のＳ１６−Ｓ１６線断面図である。
【図１７】図１７は、図１４（Ａ）のＳ１７−Ｓ１７線断面図である。
【図１８】図１８は、直列に連結される２本のシート固定用レールのうち、一方のシート固定用レールの縮形連結端部を他方のシート固定用レールの端部の内側に挿入して連結したときを示し、（Ａ）は、平面図、（Ｂ）は、正面図、（Ｃ）は底面図である。
【図１９】図１９は、図１８（Ｂ）のＳ１９−Ｓ１９線断面図である。
【発明を実施するための形態】
【００２８】
以下に本発明を実施するための形態を図面に基づいて説明する。本実施形態の簡易型構築物は、野菜や果実等の農産物を生産するための農業用ハウスであり、図１には、この農業用ハウスの骨組みが示され、この骨組みは、農業用ハウスの表面にシートを被せる以前のときの状態で示されている。農業用ハウスの骨組みは、多数の棒状部材１を組み合わせることにより形成され、棒状部材１には、農業用ハウスの出入口２が形成されている正面において、鉛直に立設されている鉛直棒状部材３と、上向きに湾曲したアーチ状となっていて、前後方向に間隔をあけて複数本が並設されているアーチ状棒状部材４と、これらのアーチ状棒状部材４と９０度の角度をなして交差配設され、前後方向へ水平に延びている母屋棒状部材５とがあり、母屋棒状部材５は、アーチ状棒状部材４の長さ方向に間隔を開けて複数本設けられている。鉛直棒状部材３は、角パイプ材であり、アーチ状棒状部材４と母屋棒状部材５は、丸パイプ材である。
【００２９】
図２は、図１における農業用ハウスの正面部分Ａの拡大図であり、この正面部分Ａに配設されている鉛直棒状部材３の平坦面３Ａには、止着具であるテックスビス６により、左右方向へ延びるシート固定用レール１０が取り付けられている。また、図３は、図１における農業用ハウスの地際部分Ｂの拡大図であり、図４は、図１における農業用ハウスの肩部分Ｃの拡大図であり、これらの地際部分Ｂと肩部分Ｃには、前後方向に延びるシート固定用レール１０が抱持部材７を介してアーチ状棒状部材４に取り付けられている。
【００３０】
以上の正面部分Ａと地際部分Ｂと肩部分Ｃに配置されているシート固定用レール１０は、金属板材をロールフォーミング成形することで製造されたレール素材を所定寸法で切断したものである。これらのシート固定用レール１０は、図５に示されているように、後述するシート（図１０〜図１２を参照）の一部と、この一部を固定するために波形状又は略波形状に形成されている線状スプリング（図６を参照）とが挿入される固定溝１１を有しており、この固定溝１１は、底壁部１２と、この底壁部１２の幅方向両側に外側への湾曲状に形成されている一対の湾曲部１３と、これらの湾曲部１３から立ち上がっている一対の側壁部１４とにより形成されている。
【００３１】
また、それぞれの側壁部１４は、湾曲部１３から固定溝１１の内側へ傾きながら延びている第１直線部１５と、この第１直線部１５から固定溝１１の内側へ傾きながら延びている第２直線部１６と、この第２直線部１６から固定溝１１の内外への傾斜角度をもたず又は殆どもたずに延びている第３直線部１７と、この第３直線部１７の先端部に固定溝１１の内側へ突出して形成されている係止部１８とからなる。そして、第１直線部１５の固定溝１１に対する傾斜角度は、これを言い換えると、第１直線部１５の底壁部１２に対する傾斜角度は、第１角度Ｒ１であり、第２直線部１６の固定溝１１に対する傾斜角度は、これを言い換えると、第２直線部１６の底壁部１２に対する傾斜角度は、第２角度Ｒ２であり、この第２角度Ｒ２は、第１角度Ｒ１よりも大きくなっている。
【００３２】
また、図５に示されているように、係止部１８における固定溝１１の内側への突出寸法は、Ｌ１であり、係止部１８における底壁部１２の幅方向と直交する立ち上がり方向への高さ寸法は、Ｌ２であり、突出寸法Ｌ１は、高さ寸法Ｌ２よりも大きくなっている。さらに、それぞれの湾曲部１３の外面１３Ａは、底壁部１２の外面１２Ａよりも固定溝１１の外側方向へ突出しており、この突出量は、Ｈ１である。また、底壁部１２の内面１２Ｂには、底壁部１２の幅方向中央部において、図２で示したテックスビス６を位置合わせするための窪み部１９が形成されており、この窪み部１９は、シート固定用レール１０の長さ方向の長さを有するものとなっている。
【００３３】
図６には、シート固定用レール１０の固定溝１１に挿入されることにより、この固定溝１１に一部が挿入されるシートをシート固定用レール１０に固定するための線状スプリング３０が示されている。この線状スプリング３０は、断面が円形の金属線材を波形状又は略波形状に折り曲げ加工することにより、波形状又は略波形状の凹凸を長さ方向に連続させたものであり、凹凸の方向である幅方向に弾性的に収縮拡張変形可能となっている。このため、幅方向に弾性的に収縮変形させることにより、線状スプリング３０をシート固定用レール１０の固定溝１１に挿入することができ、この挿入後は、弾性的に拡張変形する線状スプリング３０が、固定溝１１の内部で拡張して一対の側壁部１４の内面に密着するようになっている（図１０〜図１２を参照）。なお、シート固定用レール１０の湾曲部１３の曲率半径は、線状スプリング３０の素材の断面の曲率半径と同じ又は略同じになっている。
【００３４】
図７及び図８には、農業用ハウスの骨組みを形成するための棒状部材１の一つとなっている図２の鉛直棒状部材３にシート固定用レール１０を取り付けるための作業が示されている。この鉛直棒状部材３は角パイプ材によるものであるため、鉛直棒状部材３は平坦面３Ａの外面を有している。鉛直棒状部材３にシート固定用レール１０を取り付けるためには、最初に、図７に示されているように、平坦面３Ａにシート固定用レール１０の一対の湾曲部１３のそれぞれの外面１３Ａを押し当てる。この後に、図８に示されているように、テックスビス６を、シート固定用レール１０の底壁部１２の内面１２Ｂに設けられている窪み部１９をこのテックスビス６の位置合わせ部にして、この窪み部１９に当てるとともに、電動工具等によりテックスビス６を回転させ、底壁部１２を貫通させたテックスビス６の軸部を鉛直棒状部材３の平坦面３Ａを通過させて、この鉛直棒状部材３の内部に螺進させる。これにより、シート固定用レール１０は、止着具であるテックスビス６により、鉛直棒状部材３の平坦面３Ａに取り付けられる。
【００３５】
前述したように、一対の湾曲部１３のそれぞれの外面１３Ａは、底壁部１２の外面１２Ａよりも固定溝１１の外側方向へ突出量Ｈ１により突出しているため、上述のように、底壁部１２を貫通させたテックスビス６の軸部を鉛直棒状部材３の平坦面３Ａを通過させて、この鉛直棒状部材３の内部に螺進させると、テックスビス６からの押圧力により底壁部１２は、鉛直棒状部材３側に弾性的に湾曲変形し、この底壁部１２の外面１２Ａは鉛直棒状部材３の平坦面３Ａに近づく又は接触するため、弾性変形した底壁部１２からのスプリングバック力により、鉛直棒状部材３の内部に軸部が螺合しているテックスビス６が鉛直棒状部材３から抜け出すことは防止される。
【００３６】
図９は、図３及び図４で示したように、シート固定用レール１０をアーチ状棒状部材４に取り付けるために用いる包持部材７を示す。金属板材の打ち抜き、折り曲げで形成されているこの包持部材７は、一対の側面部７Ａと、これらの側面部７Ａ同士を繋ぐ上下２個の連結部７Ｂとを有するものとなっており、これらの連結部７Ｂには、上下の間隔をあけて２個の爪部７Ｃが形成されている。一対の側面部７Ａによりアーチ状棒状部材４を挟み、上下２個の連結部７Ｂの間にシート固定用レール１０を通し、一対の側面部７Ａに形成されている孔部７Ｄに楔部材８を挿入して打ち込むことにより、図３及び図４に示されているように、包持部材７は、アーチ状棒状部材４を包持してこのアーチ状棒状部材４に取り付けられるとともに、底壁部１２の外面１２Ａがアーチ状棒状部材４に接触したシート固定用レール１０は、包持部材７の２個の爪部７Ｃが一対の側壁部１４の外面に係止することにより、包持部材７を介してアーチ状棒状部材４に取り付けられることになる。
【００３７】
図１０〜図１２には、シート固定用レール１０の固定溝１１の内部に合成樹脂製のシート４１〜４５の一部を線状スプリング３０により固定したときの状態が示されており、図１０は、図２で示した農業用ハウスの正面部分Ａに配設されているシート固定用レール１０についてであり、図１１は、図３で示した農業用ハウスの地際部分Ｂに配設されているシート固定用レール１０についてであり、図１２は、図４で示した農業用ハウスの肩部分Ｃに配設されるシート固定用レール１０についてである。
【００３８】
図１２に示されているように、本実施形態に係るシート固定用レール１０の固定溝１１の内部に挿入される線状スプリング３０の個数は、一対の側壁部１４の立ち上がり方向に積み上げられた状態で、最多で第１線状スプリング３０Ａと第２線状スプリング３０Ｂと第３線状スプリング３０Ｃの３個となっている。
【００３９】
図１０には、農業用ハウスの正面部分Ａに配設されたシート固定用レール１０の固定溝１１の内部に、農業用ハウスの正面全体を覆うように被せられた第１シート４１の一部４１Ａが挿入され、この一部４１Ａが、固定溝１１の内部に挿入された第１線状スプリング３０Ａにより、シート固定用レール１０に固定されている状態が示されている。第１線状スプリング３０Ａには、第１シート４１の緊張力等が作用することがあり、このため、第１線状スプリング３０Ａには、固定溝１１の内部からの脱出力が作用する場合がある。
【００４０】
しかし、第１線状スプリング３０Ａは、シート固定用レール１０の湾曲部１３の箇所、又は側壁部１４の第１直線部１５の箇所に挿入され、これらの箇所における第１線状スプリング３０Ａの脱出方向には、湾曲部１３から固定溝１１の内側へ傾きながら延びていて、固定溝１１に対して傾斜している第１直線部１５や、第１直線部１５から固定溝１１の内側へ傾きながら延びていて、固定溝１１に対して傾斜している第２直線部１６が設けられているため、第１線状スプリング３０Ａが第１シート４１の緊張力等で固定溝１１の内部から脱出することは、第１直線部１５や第２直線部１６により阻止される。
【００４１】
なお、本実施形態に係るシート固定用レール１０では、一対の側壁部１４の高さ方向の先端部に設けられた係止部１８における固定溝１１側の側面１８Ａは、固定溝１１側へ滑らかに湾曲突出した形状となっており、また、係止部１８における固定溝１１側とは反対側の先端面１８Ｂは、固定溝１１の幅方向外側へ延びるにしたがって固定溝１１から離れる方向に傾斜しているため、第１線状スプリング３０Ａで固定溝１１に固定されて係止部１８の表面で案内される第１シート４１には、過度の引張力や荷重等が作用することはなく、この第１シート４１が破損等することを防止できるようになっている。
【００４２】
また、本実施形態に係るシート固定用レール１０は、前述したように、金属板材をロールフォーミング成形することで製造したレール素材を所定寸法で切断したものであるため、係止部１８は、金属板材がカール加工されることにより形成されている。
【００４３】
図１１に示されている農業用ハウスの地際部分Ｂに配設されているシート固定用レール１０の固定溝１１の内部には、農業用ハウスが設置されている地面の内部に下部が埋め込まれている第２シート４２の上部４２Ａが挿入されており、この上部４２Ａが、固定溝１１の内部に挿入された第１線状スプリング３０Ａにより、シート固定用レール１０に固定されている。また、固定溝１１の内部には、第３シート４３の下部４３Ａも挿入され、この下部４３Ａは、第１線状スプリング３０Ａに積み上げられた状態で固定溝１１の内部に挿入された第２線状スプリング３０Ｂにより、シート固定用レール１０に固定されている。この第２線状スプリング３０Ｂにも、第３シート４３に作用する緊張力等により、固定溝１１の内部からの脱出力が作用する場合がある。
【００４４】
しかし、第２線状スプリング３０Ｂは、シート固定用レール１０の側壁部１４における第１直線部１５と第２直線部１６の間の箇所、又は第２直線部１６の箇所に配置され、これらの箇所における第２線状スプリング３０Ｂの脱出方向には、第１直線部１５から固定溝１１の内側へ傾きながら延びていて、固定溝１１に対して傾斜している第２直線部１６が設けられているため、第２線状スプリング３０Ｂが第３シート４３の緊張力等で固定溝１１の内部から脱出することは、第２直線部１６により阻止される。
【００４５】
図１２に示されている農業用ハウスの肩部分Ｃに配設されているシート固定用レール１０の固定溝１１の内部には、図１１で示した第３シート４３の上部４３Ｂが挿入され、この上部４３Ｂが、固定溝１１の内部に挿入された第１線状スプリング３０Ａにより、シート固定用レール１０に固定されている。また、固定溝１１の内部には、第３シート４３を覆う第４シート４４の上部４４Ａも挿入され、この上部４４Ａは、第１線状スプリング３０Ａに積み上げられた状態で固定溝１１の内部に挿入された第２線状スプリング３０Ｂにより、シート固定用レール１０に固定されている。さらに、固定溝１１の内部には、農業用ハウスの棟部から下方へ延びていてこの農業用ハウスの表面に被せられている第５シート４５の下部４５Ａも挿入され、この下部４５Ａは、第２線状スプリング３０Ｂに積み上げられた状態で固定溝１１の内部に挿入された第３線状スプリング３０Ｃにより、シート固定用レール１０に固定されている。この第３線状スプリング３０Ｃにも、第５シート４５に作用する緊張力等により、固定溝１１の内部からの脱出力が作用する場合がある。
【００４６】
この第３線状スプリング３０Ｃは、シート固定用レール１０の側壁部１４における第２直線部１６の箇所に配置され、この箇所における第３線状スプリング３０Ｃの脱出方向には、固定溝１１の内外への傾斜角度をもたず又は殆どもたずに延びている第３直線部１７が設けられているが、この第３直線部１７の先端部には、固定溝１１の内側へ突出している係止部１８が形成されているため、第３線状スプリング３０Ｃが第５シート４５の緊張力等で固定溝１１の内部から脱出することは、係止部１８により阻止される。
【００４７】
以上の説明から分かるように、シート固定用レール１０の固定溝１１の内部に最多で３個の線状スプリング３０Ａ，３０Ｂ，３０Ｃを側壁部１４の立ち上がり方向に積み上げた状態で挿入しても、これらの線状スプリング３０Ａ，３０Ｂ，３０Ｃが固定溝１１の内部から脱出することを防止できることになる。
【００４８】
また、３個の線状スプリング３０Ａ，３０Ｂ，３０Ｃをシート固定用レール１０の固定溝１１の内部に挿入するためには、これらの線状スプリング３０Ａ，３０Ｂ，３０Ｃを幅方向に弾性的に収縮変形させて、シート固定用レール１０の一対の側壁部１４の先端部に設けられている２個の係止部１８の間を通過させなければならないが、本実施形態に係るシート固定用レール１０では、図５で説明したように、係止部１８が設けられている第３直線部１７が、上述のように第２直線部１６から固定溝１１の内外への傾斜角度をもたず又は殆どもたずに延びており、また、第１直線部１５から固定溝１１の内側へ傾きながら延びている第２直線部１６の固定溝１１に対する傾斜角度（前記第２角度Ｒ２）は、湾曲部１３から固定溝１１の内側へ傾きながら延びている第１直線部１５の固定溝１１に対する傾斜角度（前記第１角度Ｒ１）よりも大きくなっているため、２個の係止部１８の間隔を、幅方向に弾性的に収縮変形させた線状スプリング３０Ａ，３０Ｂ，３０Ｃを通過させることができる大きさにすることができる。
【００４９】
すなわち、係止部１８が設けられている第３直線部１７を、第２直線部１６から固定溝１１の内側へ傾きながら延びるものとしたり、第２角度Ｒ２を第１角度Ｒ１と同じ又はこれよりも小さくした場合には、２個の係止部１８の間隔が小さくなってしまうため、これら係止部１８の間を、幅方向に弾性的に収縮変形させた線状スプリング３０Ａ，３０Ｂ，３０Ｃが通過することは困難になるが、本実施形態のシート固定用レール１０では、このような問題を解決することができる。
【００５０】
さらに、本実施形態に係るシート固定用レール１０では、図５で説明したように、係止部１８における固定溝１１の内側への突出寸法Ｌ１は、係止部１８における底壁部１２の幅方向と直交する立ち上がり方向への高さ寸法Ｌ２よりも大きくなっている。このため、第３線状スプリング３０Ｃが固定溝１１の内部から脱出するために必要となる係止部１８の突出寸法Ｌ１を確保しながら、図１２に示されているように、重ねられた第３シート４３と第４シート４４と第５シート４５の３枚のシートを通過させることができる充分に大きなスペースを、係止部１８と第３線状スプリング３０Ｃとの間に設けることができる。
【００５１】
また、係止部１８は固定溝１１の内側へのみ突出するものとなっていて、固定溝１１の外側へは突出していないため、前述したようにシート固定用レール１０を金属板材のロールフォーミング成形により製造する際に、ロールフォーミング成形型の形状の簡単化や、ロールフォーミング成形の容易化、使用する金属板材の少量化を達成することができる。
【００５２】
なお、農業用ハウスの地際部分Ｂと肩部分Ｃとの間の表面を覆うように被せられている図１１及び図１２の第３シート４３は、通気性を確保するために全部又は一部がメッシュとなっているメッシュシートである。この第３シート４３の上に被せられている第４シート４４の上部４４Ａは、図１２で説明したように、農業用ハウスの肩部分Ｃに配設されているシート固定用レール１０の固定溝１１に第２線状スプリング３０Ｂで固定されており、この第４シート４４の下部は、図１で示す支柱５０や昇降手段５１等で構成された巻取装置に連結されている。
【００５３】
この巻取装置は、支柱５０に配置された昇降手段５１がハンドル５２の回転操作により支柱５０に沿って昇降動し、この昇降動に伴い、昇降手段５１に連結された巻取軸５３が正逆回転するものである。巻取軸５３には、第４シート４４の下端部が連結されているため、巻取軸５３の正逆回転により、この巻取軸５３によって第４シート４４の巻き取り、繰り出しが行われ、これにより、天候等に応じて、メッシュシートである第３シート４３の一部又は全部を露出させることや、第４シート４４によって第３シート４３の全部又は一部を覆うことができる。
【００５４】
図１３には、本実施形態に係るシート固定用レール１０の長さ方向の一方の端部の斜視図が示されており、この端部は、図１で示した農業用ハウスの前後方向等の寸法が大きいために、このシート固定用レール１０に他のシート固定用レール１０’（図１８及び図１９を参照）を直列に連結するための連結端部６０となっている。シート固定用レール１０の長さ方向の一方の端部だけに設けられているこの連結端部６０は、シート固定用レール１０に前述の固定溝１１を設けられるために、このレール１０に形成されている底壁部１２と一対の湾曲部１３と一対の側壁部１４のうち、底壁部１２と接続された接続底壁部６２と、一対の湾曲部１３と接続された一対の接続湾曲部６３（図１５も参照）と、一対の側壁部１４と接続された一対の接続側壁部６４とからなり、これらの接続底壁部６２と一対の接続湾曲部６３と一対の接続側壁部６４とにより囲まれる内側が、固定溝１１と接続された接続固定溝６１となっている。
【００５５】
図１４（Ａ）（Ｂ）（Ｃ）には、連結端部６０を含むシート固定用レール１０の長さ方向の一方の端部の平面図と正面図と底面図が示されており、また、図１５には、このシート固定用レール１０の連結端部６０側の側面図が、図１６には、図１４（Ａ）のＳ１６−Ｓ１６線断面図が、それぞれ示されている。図１３〜図１６から分かるように、一対の接続湾曲部６３は、一対の湾曲部１３に対し固定溝１１の内側へ縮小した形状となって形成されており、また、一対の接続側壁部６４は、一対の側壁部１４に対し固定溝１１の内側へ縮小した形状となって形成されている。しかし、接続底壁部６２は、底壁部１２に対し固定溝１１の内外方向の段差なしの状態で、すなわち、底壁部１２に対し固定溝１１の内側へ縮小されていない形状で形成されている。
【００５６】
このため、接続固定溝６１は、底壁部１２の厚さ方向には、固定溝１１に段差なしの状態で接続されているとともに、この接続固定溝６１は、底壁部１２の厚さ方向と直交する方向には、これを言い換えると、シート固定用レール１０の幅方向には、固定溝１１が縮小された形状となって形成されている。なお、この縮小寸法は、シート固定用レール１０の材料である金属板材の厚さと同じ又はこの厚さよりも少し大きい寸法である。また、一対の湾曲部１３と一対の接続湾曲部６３との間は、図１４（Ｂ）等で示す一対の中間部７３となっており、また、一対の側壁部１４と一対の接続側壁部６４との間も、一対の中間部７４となっている。さらに、図１５に示されているように、一対の接続側壁部６４のそれぞれは、接続固定溝６１に対して、これを言い換えると、接続底壁部６２に対して第３角度Ｒ３をなして接続固定溝６１の内側へ傾斜しており、この第３角度Ｒ３の大きさは、図５で示した側壁部１４のうち、第１直線部１５の固定溝１１に対する傾斜角度となっている第１角度Ｒ１と同じ又は略同じ大きさとなっている。
【００５７】
以上のようにシート固定用レール１０の長さ方向の一方の端部に、このシート固定用レール１０に他のシート固定用レール１０’を直列に連結するために設けられている連結端部６０は、本実施形態では、一対の接続湾曲部６３が、一対の湾曲部１３に対し固定溝１１の内側へ縮小した形状となって形成されていて、一対の接続側壁部６４も、一対の側壁部１４に対し固定溝１１の内側へ縮小した形状となって形成されているため、この連結端部６０は、縮形連結端部となっている。
【００５８】
また、本実施形態に係る縮形連結端部６０では、一対の接続側壁部６４のそれぞれにおける接続湾曲部６３とは反対側の端縁部６４Ａは、図１３及び図１４（Ｂ）に示されているように、縮形連結端部の先端６０Ａ側へ延びるにしたがい接続底壁部６２に近づく方向に傾斜しており、このため、これらの端縁部６４Ａは、一対の側壁部１４の上端部に設けられている前述の係止部１８と異なり、底壁部１２や接続底壁部６２と平行になっていない。また、これらの端縁部６４Ａの最大高さは、すなわち、縮形連結端部６０の長さ方向に延びている端縁部６４Ａのうち、最も側壁部１４に近い位置での高さは、図１４（Ｂ）に示されているように、側壁部１４のうち、第１直線部１５の高さ内となっており、このため、それぞれの端縁部６４Ａの最大高さは、第１直線部１５と第２直線部１６との境界と同じ高さ又はこの境界よりも低く高さとなっている。
【００５９】
本実施形態では、図１３に示されているように、縮形連結端部６０の一部を形成している接続底壁部６２には、この接続底壁部６２の厚さ方向への突出量を有するリブ部７５が設けられており、縮形連結端部６０の長さ方向の長さを有しているこのリブ部７５は、図１４（Ａ）のＳ１７−Ｓ１７線断面図である図１７から分かるように、接続底壁部６２の素材である金属板を接続固定溝６１の内側の方向へ押圧することにより、この金属板の折り曲げによって形成され、このため、リブ部７５は、固定溝１１の内側の方向に、すなわち、接続固定溝６１の内側の方向に突出している。
【００６０】
また、図１４（Ａ）に示されているように、リブ部７５における縮形連結端部６０の先端６０Ａ側の端部７５Ａの位置は、接続底壁部６２の先端６２Ａから、すなわち、縮形連結端部６０の先端６０Ａから底壁部１２側へ後退した位置となっている。さらに、リブ部７５における縮形連結端部６０の先端６０Ａ側とは反対側の端部７５Ｂの位置は、接続底壁部６２と底壁部１２との境界を越えて底壁部１２まで達しており、このため、縮形連結端部６０の長さ方向におけるリブ部７５の長さ寸法は、接続底壁部６２と底壁部１２との境界を越える寸法となっている。
【００６１】
図５で示した底壁部１２の内面１２Ｂに形成されている窪み部１９は、図１４（Ａ）に示されているように、リブ部７５における縮形連結端部６０の先端６０Ａ側とは反対側の端部７５Ｂの位置まで達しており、また、リブ部７５における縮形連結端部６０の先端６０Ａ側の端部７５Ａと、接続底壁部６２の先端６２Ａとの間には、縮形連結端部６０の長さ方向に延びる窪み部７６が、接続底壁部６２の幅方向中央部において形成されている。このため、本実施形態のシート固定用レール１０では、リブ部７５が設けられている箇所を除き、窪み部１９，７６が縮形連結端部６０を含むこのシート固定用レール１０の全長に渡って形成されていることになる。
【００６２】
また、本実施形態に係るシート固定用レール１０では、図１４（Ａ）（Ｂ）に示されているように、一対の接続側壁部６４のそれぞれにおける縮形連結端部６０の長さ方向の先端は、外側へ湾曲して突出した形状に面取りされた湾曲面取り部７７となっている。
【００６３】
以上説明した本実施形態のシート固定用レール１０は、このレール１０と同じ長さになっている細幅の金属板材について、縮形連結端部６０となる部分を、幅寸法が他の部分よりも小さく、かつこの幅寸法が、縮形連結端部６０の先端６０Ａ側となる箇所に向かって次第に小さくなるように切断加工を行った後に、ロールフォーミング成形することにより、底壁部１２や、一対の湾曲部１３、一対の側壁部１４、窪み部１９を形成し、次いで、縮形連結端部６０となる部分について、縮形連結端部６０となる箇所の内外に配置した金型によるスエージ加工等の縮形加工を行うことにより製造される。また、この縮形加工時において、リブ部７５も形成され、これにより、ロールフォーミング成形で細幅の金属板材の全長に形成された窪み部１９の一部がリブ部７５に変形加工され、このリブ部７５よりも接続底壁部６２の先端６２Ａ側に形成されていた窪み部１９が窪み部７６となる。
【００６４】
図１８には、本実施形態のシート固定用レール１０の長さ方向の一方の端部に設けられた縮形連結端部６０を、このシート固定用レール１０と形状及び寸法が同じとなって製造されている別のシート固定用レール１０’の長さ方向の他方の端部の内側に挿入することにより、２本のシート固定用レール１０，１０’を直列に連結したときを示し、図１８（Ａ）（Ｂ）（Ｃ）は、平面図、正面図、底面図である。シート固定用レール１０の縮形連結端部６０をシート固定用レール１０’の端部の内側に挿入する際において、前述したように、シート固定用レール１０の縮形連結端部６０の一部を形成している一対の接続側壁部６４のそれぞれにおける接続湾曲部６３とは反対側の端縁部６４Ａは、縮形連結端部６０の先端６０Ａ側へ延びるにしたがい接続底壁部６２に近づく方向に傾斜しているため、縮形連結端部６０をシート固定用レール１０’の端部の内側に挿入する作業を、傾斜した端縁部６４Ａの案内作用によって容易に行うことができる。
【００６５】
また、接続底壁部６２には、この接続底壁部６２の厚さ方向の突出量を有するリブ部７５が、縮形連結端部６０の長さ方向の長さをもって形成されているため、上述のように一対の接続側壁部６４のそれぞれにおける接続湾曲部６３とは反対側の端縁部６４Ａが、縮形連結端部６０の先端６０Ａ側へ延びるにしたがい接続底壁部６２に近づく方向に傾斜していても、この縮形連結端部６０についての接続底壁部６２の厚さ方向の強度をリブ部７５により向上させることができる。
【００６６】
また、リブ部７５は、固定溝１１の内側の方向へ突出したものとなっているため、シート固定用レール１０の縮形連結端部６０をシート固定用レール１０’の端部の内側に挿入する作業を、リブ部７５の影響を受けることをなく容易に実施することができる。
【００６７】
さらに、リブ部７５の長さは、接続底壁部６２と底壁部１２との境界を越える長さとなっているため、リブ部７５による前述した縮形連結端部６０についての接続底壁部６２の厚さ方向の強度を一層有効に向上させることができる。
【００６８】
また、リブ部７５における縮形連結端部６０の先端６０Ａ側の端部７５Ａの位置は、接続底壁部６２の先端６２Ａから前記底壁部側へ後退しているため、接続底壁部６２の先端６２Ａには、接続底壁部６２の厚さ方向の突出量を有するリブ部７５が設けておらず、このため、シート固定用レール１０の縮形連結端部６０をシート固定用レール１０’の端部の内側に挿入してこれらのレール１０，１０’を連結する作業を一層容易に行えるようになる。
【００６９】
また、リブ部７５における縮形連結端部６０の先端６０Ａ側の端部７５Ａと、接続底壁部６２の先端６２Ａとの間には、縮形連結端部６０の長さ方向に延びる窪み部７６が形成されているため、この縮形連結端部６０を、縮形連結端部６０によりシート固定用レール１０と連結されるシート固定用レール１０’と共に、テックスビス等の止着具で取り付ける際に、接続底壁部６２に設けられた窪み部７６により止着具を位置決めすることができる。
【００７０】
さらに、図１８（Ｂ）のＳ１９−Ｓ１９線断面図である図１９に示されているように、シート固定用レール１０’の底壁部１２’には、シート固定用レール１０の接続底壁部６２に設けられた窪み部７６とシート固定用レール１０，１０’の幅方向に一致する位置において、窪み部１９’が形成されているため、テックスビス等の止着具を、これらの接続底壁部６２と底壁部１２’とを容易に貫通させて簡易型構築物の棒状部材に到達させることができる。
【００７１】
また、本実施形態に係るシート固定用レール１０では、縮形連結端部６０の一部を形成している接続底壁部６２は、底壁部１２に対し固定溝１１の内外方向の段差なしで接続されたものとなっているため、縮形連結端部６０をスエージ加工等の縮形加工で縮形して形成するための金型の形状をそれだけ単純化することができ、また、縮形加工によって形成する縮形連結端部６０を一層正確な形状にして仕上げることができる。
【００７２】
また、本実施形態では、前述したように、一対の接続側壁部６４のそれぞれにおける接続湾曲部６３とは反対側の端縁部６４Ａを、縮形連結端部６０の先端６０Ａ側へ延びるにしたがい接続底壁部６２に近づく方向に傾斜させていることは、一対の接続側壁部６４の最大高さを一対の側壁部１４の高さよりも低い高さとし、かつこの最大高さを、一対の側壁部１４における第１直線部１５の高さ内としているため、シート固定用レール１０の縮形連結端部６０をシート固定用レール１０’の端部の内側に挿入してこれらのレール１０，１０’を連結する作業を、シート固定用レール１０’の内部に、例えば、前述の線状スプリング３０等が配置されていても、この線状スプリング３０等による影響を少なくして、シート固定用レール１０の一対の接続側壁部６４をシート固定用レール１０’の一対の側壁部１４’の間に挿入して実施することができる。
【００７３】
さらに、一対の接続側壁部６４における縮形連結端部６０の長さ方向の先端は、外側へ湾曲して突出した形状に面取りされた湾曲面取り部７７となっているため、これによっても、シート固定用レール１０の縮形連結端部６０をシート固定用レール１０’の端部の内側に挿入してこれらのレール１０，１０’を連結する作業を、シート固定用レール１０’内部に、例えば、前述の線状スプリング３０等が配置されていても、この線状スプリング３０等による影響を少なくして実施することができる。
【００７４】
なお、シート固定用レール１０’には、シート固定用レール１０の縮形連結端部６０が内側に挿入される端部とは長さ方向の反対側の端部において、縮形連結端部６０を同じ形状及び寸法の縮形連結端部が形成されているため、この縮形連結端部により、レール１０’にさらに別のシート固定用レールを直列に連結することができ、これを繰り返すことで長大の寸法を有する農業用ハウスに対処することができる。また、最後のシート固定用レールを農業用ハウスの全長に合わせて切断することで、最後のシート固定用レールの長さは、この農業用ハウスの全長に適合したものとなる。
【産業上の利用可能性】
【００７５】
本発明は、農業用ハウスや、簡易型倉庫、簡易型車庫等の簡易型構築物の表面に被せられるシートを固定するために利用することができる。
【符号の説明】
【００７６】
１  棒状部材
３  棒状部材である鉛直棒状部材
４  棒状部材であるアーチ状棒状部材
１０，１０’  シート固定用レール
１１  固定溝
１２，１２’  底壁部
１３  湾曲部
１４，１４’  側壁部
１５  第１直線部
１６  第２直線部
１７  第３直線部
１８  係止部
１９，１９’，７６  窪み部
３０  線状スプリング
４１〜４５  シート
６０  縮形連結端部
６０Ａ  先端
６１  接続固定溝
６２  接続底壁部
６２Ａ  先端
６３  接続湾曲部
６４  接続側壁部
６４Ａ  端縁部
７５  リブ部
７５Ａ  リブ部における縮形連結端部の先端側の端部
７７  湾曲面取り部
Ｒ１  第１角度
Ｒ２  第２角度
【図１】
2020130142.tif 000003
【図２】
2020130142.tif 000004
【図３】
2020130142.tif 000005
【図４】
2020130142.tif 000006
【図５】
2020130142.tif 000007
【図６】
2020130142.tif 000008
【図７】
2020130142.tif 000009
【図８】
2020130142.tif 000010
【図９】
2020130142.tif 000011
【図１０】
2020130142.tif 000012
【図１１】
2020130142.tif 000013
【図１２】
2020130142.tif 000014
【図１３】
2020130142.tif 000015
【図１４】
2020130142.tif 000016
【図１５】
2020130142.tif 000017
【図１６】
2020130142.tif 000018
【図１７】
2020130142.tif 000019
【図１８】
2020130142.tif 000020
【図１９】
2020130142.tif 000021